(57)【要約】      （修正有）【課題】軽量化を図れて施工業者による持ち運びや据付けを容易に行えると共に、安全性及び防錆効果の向上を図れ、しかも、施工現場の要望に合わせて扉の厚みを容易に合わせることができる消火栓ボックスの扉を提供する。【解決手段】前面が開口されたボックス本体２と、ボックス本体２の開口周縁部に取り付けられ、ボックス本体２の開口を開閉する扉３とから構成した消火栓ボックスの扉３において、前記扉３は、金属製の薄板により四角枠状に形成され、ボックス本体２の開口周縁部に取り付けられる扉枠７と、扉枠７内に手前方向へ回動自在に取り付けられ、ボックス本体２の開口を開閉する一枚若しくは複数枚の扉板とから成り、前記扉枠７の前側端部を全周に亘って内側へ１８０度折り返し、扉枠７の前側端部にヘミング加工部７ａを形成する。【選択図】図３
0003189611.tif 000002
【実用新案登録請求の範囲】
【請求項１】
前面が開口されたボックス本体（２）と、ボックス本体（２）の開口周縁部に取り付けられ、ボックス本体（２）の開口を開閉する扉（３）とから構成した消火栓ボックス（１）の扉（３）において、前記扉（３）は、金属製の薄板により四角枠状に形成され、ボックス本体（２）の開口周縁部に取り付けられる扉枠（７）と、扉枠（７）内に手前方向へ回動自在に取り付けられ、ボックス本体（２）の開口を開閉する一枚若しくは複数枚の扉板（８），（９），…とから成り、前記扉枠（７）の前側端部を全周に亘って内側へ１８０度折り返し、扉枠（７）の前側端部にヘミング加工部（７ａ）を形成したことを特徴とする消火栓ボックスの扉。
【請求項２】
扉枠（７）を厚さが１．２ｍｍ〜２．３ｍｍの薄肉の鋼板により形成すると共に、扉枠（７）の表面に塗装（１０）を施したことを特徴とする請求項１に記載の消火栓ボックスの扉。
【請求項３】
扉枠（７）の後側端部を全周に亘って内側へ折り曲げ、この折り曲げた部分をボックス本体（２）の開口周縁部に取り付けられる取り付け部（７ｂ）としたことを特徴とする請求項１又は請求項２に記載の消火栓ボックスの扉。
【考案の詳細な説明】
【技術分野】
【０００１】
本考案は、主にホテルや旅館、病院、学校、駅、オフィスビル、マンション等の建物内の壁面に設置され、内部に消火活動に使用される消防用ホースやノズル、消火栓弁、消火器等を格納した消火栓ボックスの扉の改良に係り、特に、軽量化を図れて施工業者による持ち運びや据付けを容易に行えると共に、安全性及び防錆効果の向上を図れ、しかも、施工現場の要望に合わせて扉の厚みを容易に合わせることができる消火栓ボックスの扉に関するものである。
【背景技術】
【０００２】
一般に、ホテルや旅館、病院等の建物内の壁面には、火災の発生時に消火活動に使用される消防用ホースやノズル、消火栓弁、消火器等を格納した消火栓ボックスが設置されている。
【０００３】
従来、この種の消火栓ボックスとしては、意匠登録第１２７９１７１号公報や、本件出願人が先に出願した意願２０１３−１３６２３号に記載された構造のものが知られている。
【０００４】
図１０〜図１３は従来の消火栓ボックス３０の一例を示し、当該消火栓ボックス３０は、建物の壁面Ｗに埋設固定され、前面が開口されたボックス本体３１と、ボックス本体３１の開口周縁部に取り付けられ、ボックス本体３１の開口を開閉する扉３２とから構成されている。
【０００５】
即ち、前記ボックス本体３１は、左右の側板、天板、底板及び背板から成る前面が開口されたボックス状に形成されており、内部空間が仕切壁３３により消防用ホース等を収納するホース用収納空間Ｓ１と、消火器を収納する消火器用収納空間Ｓ２とに区画されている。
【０００６】
また、ボックス本体３１の開口周縁部には、ボルト及びナットから成る複数の緊締具３４により扉３２が取り付け固定される断面形状がＬ字状の連結枠３５が溶接により固着されている。
【０００７】
一方、前記扉３２は、四角枠状に形成された扉枠３６と、扉枠３６の後側端面へ溶接により固着されてボックス本体３１の連結枠３５に対向する取り付け枠３７と、扉枠３６内の右側部分にヒンジ３８を介して手前方向へ回動自在に取り付けられ、ボックス本体３１のホース用収納空間Ｓ１の開口を開閉する消火栓用の扉板３９と、扉枠３６内の左側部分にヒンジ３８を介して手前方向へ回動自在に取り付けられ、ボックス本体３１の消火器用収納空間Ｓ２の開口を開閉する消火器用の扉板４０と、扉枠３６内に縦向きに取り付けられ、消火栓用の扉板３９と消火器用の扉板４０の境界部分に位置する横断面形状がコ字状の柱材４１と、柱材４１に取り付けられ、消火栓用の扉板３９及び消火器用の扉板４０を磁気吸着により閉止位置に保持する複数のマグネット４２とから構成されており、取り付け枠３７をボックス本体３１の連結枠３５に重ね合わせ、取り付け枠３７と連結枠３５とを緊締具３４で締め付け固定することによりボックス本体３１の開口周縁部に取り付けられている。
【０００８】
また、消火栓用の扉板３９及び消火器用の扉板４０は、消火栓用の扉板３９及び消火器用の扉板４０にそれぞれ形成した取っ手部３９ａ，４０ａを手前に引き、マグネット４２による磁気吸着状態を解除することによりそれぞれ開くことができる。
【０００９】
尚、図１０及び図１２において、４３は消火栓用の扉板３９に設けた発信機、４４は消火栓用の扉３９に設けた表示灯、Ｗは壁面ボートＷａ及びボード下地Ｗｂから成る壁面、４５はＣ型チャンネル材から成る壁面下地補強材である。
【００１０】
ところで、従来の消火栓ボックス３０の扉３２は、図１２に示すように扉枠３６が厚みのあるフラットバー（厚さ６ｍｍ、幅６０ｍｍの平らな形状をした鋼材）を四角に枠組みすることにより形成されていたため、質量が大きくなり、持ち運びや据付けを容易に行えないと云う問題があった。
【００１１】
また、消火栓ボックス３０の扉３２は、扉枠３６を断面形状が長方形状のフラットバーにより形成しているため、図１２に示すように扉枠３６の前側端部のコーナー部分が角張ってエッジのようになり、人が当たった場合に怪我をする恐れあり、安全性に問題があった。
【００１２】
更に、消火栓ボックス３０の扉３２は、扉枠３６の前側端部のコーナー部分が角張っているため、塗装４６を施した場合、図１３に示すように角張ったコーナー部分は塗料の表面張力により塗料の附着が悪く、防錆効果が低下し、錆が発生し易いと云う問題があった。
【００１３】
そのうえ、消火栓ボックス３０の扉３２は、扉枠３６が規格化された寸法のフラットバーにより形成されているため、フラットバーの寸法で扉３２の厚みが決まってしまい、施工現場での納まりを扉３２の厚みに合わす必要があり、融通性を持たすことができなかった。
【先行技術文献】
【特許文献】
【００１４】
【特許文献１】意匠登録第１２７９１７１号公報
【特許文献２】意願２０１３−１３６２３
【考案の概要】
【考案が解決しようとする課題】
【００１５】
本考案は、このような問題点に鑑みて為されたものであり、その目的は、軽量化を図れて施工業者による持ち運びや据付けを容易に行えると共に、安全性及び防錆効果の向上を図れ、しかも、施工現場の要望に合わせて扉の厚みを容易に合わせることができる消火栓ボックスの扉を提供することにある。
【課題を解決するための手段】
【００１６】
上記目的を達成するために、本考案の請求項１の考案は、前面が開口されたボックス本体と、ボックス本体の開口周縁部に取り付けられ、ボックス本体の開口を開閉する扉とから構成した消火栓ボックスの扉において、前記扉は、金属製の薄板により四角枠状に形成され、ボックス本体の開口周縁部に取り付けられる扉枠と、扉枠内に手前方向へ回動自在に取り付けられ、ボックス本体の開口を開閉する一枚若しくは複数枚の扉板とから成り、前記扉枠の前側端部を全周に亘って内側へ１８０度折り返し、扉枠の前側端部にヘミング加工部を形成したことに特徴がある。
【００１７】
本考案の請求項２の考案は、請求項１に記載の考案において、扉枠を厚さが１．２ｍｍ〜２．３ｍｍの薄肉の鋼板により形成すると共に、扉枠の表面に塗装を施したことに特徴がある。
【００１８】
本考案の請求項３の考案は、請求項１又は請求項２に記載の考案において、扉枠の後側端部を全周に亘って内側へ折り曲げ、この折り曲げた部分をボックス本体の開口周縁部に取り付けられる取り付け部としたことに特徴がある。
【考案の効果】
【００１９】
本考案の消火栓ボックスの扉は、金属製の薄板により四角枠状に形成した扉枠と、扉枠内に手前方向へ回動自在に取り付けた扉板とから成り、扉枠の前側端部を全周に亘って内側へ１８０度折り返し、扉枠の前側端部にヘミング加工部を形成しているため、見かけはフラットバーを使用した従来の扉と同様の厚みを有しているが、従来の扉に比較して大幅な軽量化を図ることができ、施工業者による持ち運びや据付けを容易に行える。
【００２０】
また、本考案の消火栓ボックスの扉は、扉枠の前側端部を全周に亘って内側へ１８０度折り返し、扉枠の前側端部にヘミング加工部を形成しているため、フラットバーを使用した従来の扉のようなエッジが無くなり、人が当たっても怪我をする恐れがなく、安全性に優れたものとなる。
【００２１】
更に、本考案の消火栓ボックスの扉は、扉枠の前側端部にヘミング加工部を形成しているため、扉枠に塗装を施した場合、塗料が均一に付着することになり、防錆効果の向上を図れ、錆び難くなる。
【００２２】
そのうえ、本考案の消火栓ボックスの扉は、扉枠が金属製の薄板を曲げ加工することにより形成されているため、施工現場の要望に合わせて扉の厚みを簡単且つ容易に合わせることができ、施工性の向上を図ることができる。
【００２３】
加えて、本考案の消火栓ボックスの扉は、扉枠の後側端部を全周に亘って内側へ折り曲げ、この折り曲げた部分をボックス本体の開口周縁部に取り付けられる取り付け部としているため、フラットバーを使用した従来の扉のように、扉枠に当該扉枠をボックス本体に取り付けるための取り付け枠を溶接により固着する必要もなく、加工性に優れたものとなる。
【図面の簡単な説明】
【００２４】
【図１】本考案の実施の形態に係る消火栓ボックスの扉の正面図である。
【図２】本考案の実施の形態に係る扉を使用した消火栓ボックスの横断面図である。
【図３】消火栓ボックスを壁面に設置した状態の要部の横断面図である。
【図４】消火栓ボックスの扉の要部の横断面図である。
【図５】同じく消火栓ボックスの扉の要部の横断面図である。
【図６】消火栓ボックスの扉の変形例を示す正面図である。
【図７】消火栓ボックスの扉の他の変形例を示す正面図である。
【図８】消火栓ボックスの扉の更に他の変形例を示す正面図である。
【図９】消火栓ボックスの扉の扉枠の変形例を示す要部の横断面図である。
【図１０】従来の消火栓ボックスの扉の正面図である。
【図１１】従来の扉を使用した消火栓ボックスの横断面図である。
【図１２】従来の消火栓ボックスを壁面に設置した状態の要部の横断面図である。
【図１３】従来の消火栓ボックスの扉の要部の横断面図である。
【考案を実施するための形態】
【００２５】
以下、本考案の実施の形態を図面に基づいて詳細に説明する。
図１〜図５は本考案の実施の形態に係る消火栓ボックス１の扉３を使用した消火栓ボックス１を示し、当該消火栓ボックス１は、ホテルや旅館、オフィスビル、マンション等の建物内の壁面Ｗに設置され、内部に消火活動に使用される消防用ホースやノズル、消火栓弁、消火器等を格納するものであり、建物の壁面Ｗに埋設固定され、前面が開口されたボックス本体２と、ボックス本体２の開口周縁部に取り付けられ、ボックス本体２の開口を開閉する扉３とから構成されている。
【００２６】
即ち、前記ボックス本体２は、鋼板により前面が開口されたボックス状に形成されており、左右の側板、天板、底板及び背板を備えている。
【００２７】
また、ボックス本体２内の空間は、図２に示すようにボックス本体２内に縦向きに配設した鋼板製の仕切壁４によって、消防用ホースや消火栓弁等が収納されるホース用収納空間Ｓ１と、消火器が収納される消火器用収納空間Ｓ２とに区画されている。
【００２８】
更に、ボックス本体２の開口周縁部は、内方へ直角に折り曲げられており、ボルト及びナットから成る複数の緊締具５により扉３が取り付け固定される枠状の連結部６となっている。
【００２９】
一方、前記扉３は、厚さが１．２ｍｍ〜２．３ｍｍの金属製の薄板により四角枠状に形成され、ボックス本体２の開口周縁部に形成した枠状の連結部６に取り付けられる扉枠７と、扉枠７内に手前方向（図２の下方向）へ回動自在に取り付けられ、ボックス本体２の開口を開閉する二枚の扉板８，９とから成る。
【００３０】
具体的には、前記扉枠７は、厚さが１．６ｍｍの薄肉の鋼板により四角枠状に形成されており、当該扉枠７の前側端部を全周に亘って内側へ１８０度折り返し、扉枠７の前側端部にヘミング加工部７ａ（折り返し曲げ加工部）を形成している。
【００３１】
また、扉枠７の表面には、図４に示すように塗装１０が施されている。この塗装１０には、メラミン樹脂やアクリル樹脂などの焼付塗装が使用されている。
【００３２】
更に、扉枠７の後側端部には、扉枠７の後側端部を全周に亘って内側へ直角に折り曲げることによって、ボックス本体２の開口周縁部に形成した枠状の連結部６に対向する枠状の取り付け部７ｂが形成されている。
【００３３】
そして、扉枠７は、その取り付け部７ｂをボックス本体２の連結部６に重ね合わせ、取り付け部７ｂと連結部６とを複数の緊締具５で締め付け固定することによって、ボックス本体２の開口周縁部に取り付けられている。
【００３４】
前記二枚の扉板８，９は、何れも鋼板よりそれぞれ形成されており、一方の扉板８は、ボックス本体２のホース用収納空間Ｓ１の開口を開閉する消火栓用の扉板８となっていると共に、他方の扉板９は、ボックス本体２の消火器用収納空間Ｓ２の開口を開閉する消火器用の扉板９となっている。
【００３５】
即ち、消火栓用の扉板８は、その右側部分（図１及び図２の右側）が扉枠７内の右側部分にヒンジ１１を介して手前方向へ回動自在に取り付けられており、その左側部分（図１及び図２の左側）には、扉板８を開閉する際に用いる取っ手部８ａが形成されている。
また、消火栓用の扉板８は、強度を高めるために右側辺、上辺及び下辺が背面側へコ字状に折り曲げられている。
【００３６】
消火器用の扉板９は、その左側部分（図１及び図２の左側）が扉枠７内の左側部分にヒンジ１１を介して手前方向へ回動自在に取り付けられており、その右側部分（図１及び図２の右側）には、扉板９を開閉する際に用いる取っ手部９ａが形成されている。
また、消火器の扉板８は、強度を高めるために左側辺、上辺及び下辺が背面側へコ字状に折り曲げられている。
【００３７】
そして、消火栓用の扉板８及び消火器用の扉板９は、扉枠７内に縦向きに取り付けた柱材１２に設けたマグネット１３に磁気吸着により閉止位置に保持されており、取っ手部８ａ，９ａを手前に引き、マグネット１３による磁気吸着状態を解除することによりそれぞれ開くことができるようになっている。
【００３８】
前記柱材１２は、扉枠７内の消火栓用の扉板８と消火器用の扉板９の境界部分に位置する個所に縦向きに取り付けられており、横断面形状がコ字状に形成されている。
【００３９】
また、マグネット１３は、柱材１２の両側面に上下方向に一定の間隔を空けて取り付けられている。
【００４０】
尚、図１及び図３において、１４は消火栓用の扉板８に設けた発信機、１５は消火栓用の扉８に設けた表示灯、Ｗは壁面ボートＷａ及びボード下地Ｗｂから成る壁面、１６はＣ型チャンネル材から成る壁面下地補強材である。
また、図示していないが、ボックス本体３、仕切壁４、消火栓用の扉板８及び消火器用の扉板９にも、扉枠７と同様に塗装１０が施されている。
【００４１】
上述した消火栓ボックス１の扉３は、四角枠状の扉枠７を金属製の薄板（厚さが１．６ｍｍの薄肉の鋼板）により形成し、扉枠７の前側端部を全周に亘って内側へ１８０度折り返し、扉枠７の前側端部にヘミング加工部７ａを形成しているため、見かけはフラットバーを使用した従来の扉３２と同様の厚みを有しているが、従来の扉３２に比較して大幅な軽量化を図ることができ、施工業者による持ち運びや据付けを容易に行える。
【００４２】
また、この消火栓ボックス１の扉３は、扉枠７の前側端部にヘミング加工部７ａを形成しているため、フラットバーを使用した従来の扉３２のようなエッジが無くなり、人が当たっても怪我をする恐れがなく、安全性に優れたものとなる。
【００４３】
更に、この消火栓ボックス１の扉３は、扉枠７の前側端部にヘミング加工部７ａを形成しているため、扉枠７に塗装１０を施した場合、図４に示すように塗料が均一に付着することになり、防錆効果の向上を図れ、錆び難くなる。
【００４４】
そのうえ、この消火栓ボックス１の扉３は、扉枠７が金属製の薄板を曲げ加工することにより形成されているため、施工現場の要望に合わせて扉３の厚みを簡単且つ容易に合わせることができ、施工性の向上を図ることができる。
その結果、扉３の厚みを変更することで、ボックス本体２を前後方向において任意の位置へ設置することができる。
【００４５】
加えて、この消火栓ボックス１の扉３は、扉枠７の後側端部を全周に亘って内側へ折り曲げ、この折り曲げた部分をボックス本体２の開口周縁部に取り付けられる取り付け部７ｂとしているため、フラットバーを使用した従来の扉３２のように、扉枠７にこれをボックス本体２に取り付けるための取り付け枠３７を溶接により固着する必要もなく、加工性に優れたものとなる。
【００４６】
尚、上記の実施の形態においては、扉枠７内に二枚の扉板８，９を左右に並べて開閉自在に取り付けるようにしたが、他の実施の形態においては、図６に示す如く、扉枠７内に二枚の扉板１７，１８を上下に並べて開閉自在に取り付けるようにしても良く、図７に示す如く、扉枠７内に一枚の扉板１９を開閉自在に取り付けるようにしても良く、或いは、図８に示す如く、扉枠７内に三枚の扉板２０，２１，２２を開閉自在に取り付けるようにしても良い。
この場合、各扉枠７の前側端部を全周に亘って内側へ１８０度折り返し、扉枠７の前側端部にヘミング加工部７ａを形成していることは勿論である。
【００４７】
また、上記の実施の形態においては、扉枠７の後側端部に形成した取り付け部７ｂの横断面形状を直線状としたが、他の実施の形態においては、図９に示す如く、扉枠７の取り付け部７ｂの横断面形状をほぼＬ字状としても良い。
【００４８】
更に、上記の実施の形態においては、扉３を屋内に設置した消火栓ボックス１に取り付けるようにしたが、他の実施の形態においては、扉３を屋外に設置した消火栓ボックス１に取り付けるようにしても良い。
【符号の説明】
【００４９】
１は消火栓ボックス、２はボックス本体、３は扉、４は仕切壁、５は緊締具、６は連結部、７は扉枠、７ａはヘミング加工部、７ｂは取り付け部、８は消火栓用の扉板、８ａは取っ手部、９は消火器用の扉板、９ａは取っ手部、１０は塗装、１１はヒンジ、１２は柱材、１３はマグネット、１４は発信機、１５は表示灯、１６は壁面下地補強材、１７，１８，１９，２０，２１，２２は扉板、Ｓ１はホース用収納空間、Ｓ２は消火器用収納空間、Ｗは壁面、Ｗａは壁面ボード、Ｗｂはボード下地。
【図１】
0003189611.tif 000003
【図２】
0003189611.tif 000004
【図３】
0003189611.tif 000005
【図４】
0003189611.tif 000006
【図５】
0003189611.tif 000007
【図６】
0003189611.tif 000008
【図７】
0003189611.tif 000009
【図８】
0003189611.tif 000010
【図９】
0003189611.tif 000011
【図１０】
0003189611.tif 000012
【図１１】
0003189611.tif 000013
【図１２】
0003189611.tif 000014
【図１３】
0003189611.tif 000015